【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  画像形成用のシート材の種類を判別するシート材判別装置であって、
振動を発生させる複数の振動発生素子と、該複数の振動発生素子から発生されて前記シート材を伝播してきた振動を検出する振動検出素子と、
該振動検出素子の検出信号に基き前記シート材の種類を判別する判別手段と、
を備え、
前記判別手段は、
前記検出信号と、
前記振動発生素子の振動周波数と、
に基いてシート材を判別することを特徴とするシート材判別装置。
【請求項２】  画像形成用のシート材の種類を判別するシート材判別装置であって、
振動を発生させる複数の振動発生素子と、該複数の振動発生素子から発生されて前記シート材を伝播してきた振動を検出する振動検出素子と、
該振動検出素子の検出信号に基き前記シート材の種類を判別する判別手段と、
を備え、
前記判別手段は、
前記検出信号と、
前記振動発生素子と前記振動検出素子との距離と、
に基いてシート材を判別することを特徴とするシート材判別装置。
【請求項３】  前記振動検出素子とは異なる振動検出素子がさらに設けられていることを特徴とする請求項１乃至２のいずれか１項に記載のシート材判別装置。
【請求項４】  前記振動発生素子の振動周波数を変化させる手段、
または前記振動発生素子と前記振動検出素子との距離を変化させる手段、
の少なくとも１つをさらに有する、
ことを特徴とする請求項１乃至３のいずれか１項に記載のシート材判別装置。
【請求項５】  前記振動発生素子または前記振動検出素子は、圧電体と、
該圧電体に形成された一対の櫛形電極と、
によって構成されることを特徴とする請求項１乃至４のいずれか１項に記載のシート材判別装置。
【請求項６】  画像形成用のシート材の種類を判別するシート材判別方法であって、
振動発生素子を振動させ当該振動を前記シート材に付与する工程と、
前記シート材を伝播してきた振動を振動検出素子によって検出する工程と、
前記検出信号と前記振動発生素子の振動周波数とに基いてシート材を判別する工程と、
を有することを特徴とするシート材判別方法。
【請求項７】  画像形成用のシート材の種類を判別するシート材判別方法であって、
振動発生素子を振動させ当該振動を前記シート材に付与する工程と、
前記シート材を伝播してきた振動を振動検出素子によって検出する工程と、
前記検出信号と、前記振動発生素子と前記振動検出素子との距離とに基いてシート材を判別する工程と、
を有することを特徴とするシート材判別方法。
【請求項８】  前記振動発生素子の振動周波数、
または前記振動発生素子と前記振動検出素子との距離、
の少なくとも１つを変化させる工程、
をさらに有することを特徴とする請求項６又は７に記載のシート材判別方法。
【請求項９】  前記判別工程は、前記検出信号が一の極大値を示すときの前記振動周波数または前記振動発生素子と前記振動検出素子との距離と他の極大値を示すときの前記振動周波数または前記振動発生素子と前記振動検出素子との距離との差、前記検出信号が一の極小値を示すときの前記振動周波数または前記振動発生素子と前記振動検出素子との距離と他の極小値を示すときの前記振動周波数または前記振動発生素子と前記振動検出素子との距離との差、或いは前記検出信号が一の極大値を示すときの前記振動周波数または前記振動発生素子と前記振動検出素子との距離と一の極小値を示すときの前記振動周波数または前記振動発生素子と前記振動検出素子との距離との差に基いてシート材を判別する工程である、
ことを特徴とする請求項６乃至８のいずれか１項に記載のシート材判別方法。
【手続補正２】
【補正対象書類名】明細書
【補正対象項目名】０００９
【補正方法】変更
【補正の内容】
【０００９】
【課題を解決するための手段】
本発明は上記事情を考慮してなされたものであり、請求項１に係る発明は、画像形成用のシート材の種類を判別するシート材判別装置であって、
振動を発生させる複数の振動発生素子と、該複数の振動発生素子から発生されて前記シート材を伝播してきた振動を検出する振動検出素子と、
該振動検出素子の検出信号に基き前記シート材の種類を判別する判別手段と、
を備え、
前記判別手段は、
前記検出信号と、
前記振動発生素子の振動周波数と、
に基いてシート材を判別することを特徴とするシート材判別装置であり、
請求項２に係る発明は、画像形成用のシート材の種類を判別するシート材判別装置であって、
振動を発生させる複数の振動発生素子と、該複数の振動発生素子から発生されて前記シート材を伝播してきた振動を検出する振動検出素子と、
該振動検出素子の検出信号に基き前記シート材の種類を判別する判別手段と、
を備え、
前記判別手段は、
前記検出信号と、
前記振動発生素子と前記振動検出素子との距離と、
に基いてシート材を判別することを特徴とするシート材判別装置であり、
請求項３に係る発明は、前記振動検出素子とは異なる振動検出素子がさらに設けられていることを特徴とする請求項１乃至２のいずれか１項に記載のシート材判別装置であり、
請求項４に係る発明は、前記振動発生素子の振動周波数を変化させる手段、
または前記振動発生素子と前記振動検出素子との距離を変化させる手段、
の少なくとも１つをさらに有する、
ことを特徴とする請求項１乃至３のいずれか１項に記載のシート材判別装置であり、
請求項５に係る発明は、前記振動発生素子または前記振動検出素子は、圧電体と、該圧電体に形成された一対の櫛形電極と、
によって構成されることを特徴とする請求項１乃至４のいずれか１項に記載のシート材判別装置である。
【手続補正３】
【補正対象書類名】明細書
【補正対象項目名】００１０
【補正方法】変更
【補正の内容】
【００１０】
また、請求項６に係る発明は、画像形成用のシート材の種類を判別するシート材判別方法であって、
振動発生素子を振動させ当該振動を前記シート材に付与する工程と、
前記シート材を伝播してきた振動を振動検出素子によって検出する工程と、
前記検出信号と前記振動発生素子の振動周波数とに基いてシート材を判別する工程と、
を有することを特徴とするシート材判別方法であり、
請求項７に係る発明は、画像形成用のシート材の種類を判別するシート材判別方法であって、
振動発生素子を振動させ当該振動を前記シート材に付与する工程と、
前記シート材を伝播してきた振動を振動検出素子によって検出する工程と、
前記検出信号と、前記振動発生素子と前記振動検出素子との距離とに基いてシート材を判別する工程と、
を有することを特徴とするシート材判別方法であり、
請求項８に係る発明は、前記振動発生素子の振動周波数、
または前記振動発生素子と前記振動検出素子との距離、
の少なくとも１つを変化させる工程、
をさらに有することを特徴とする請求項６又は７に記載のシート材判別方法であり、
請求項９に係る発明は、前記判別工程は、前記検出信号が一の極大値を示すときの前記振動周波数または前記振動発生素子と前記振動検出素子との距離と他の極大値を示すときの前記振動周波数または前記振動発生素子と前記振動検出素子との距離との差、前記検出信号が一の極小値を示すときの前記振動周波数または前記振動発生素子と前記振動検出素子との距離と他の極小値を示すときの前記振動周波数または前記振動発生素子と前記振動検出素子との距離との差、或いは前記検出信号が一の極大値を示すときの前記振動周波数または前記振動発生素子と前記振動検出素子との距離と一の極小値を示すときの前記振動周波数または前記振動発生素子と前記振動検出素子との距離との差に基いてシート材を判別する工程である、ことを特徴とする請求項６乃至８のいずれか１項に記載のシート材判別方法である。
【手続補正４】
【補正対象書類名】明細書
【補正対象項目名】００１１
【補正方法】削除
【補正の内容】